(57)【要約】      （修正有）【課題】捩じり切り型の型枠用セパレーターのポリ製筒形受具の固化コンクリートからの撤去が容易になるだけでなくその後の受具の取り外しも極めて容易になり大幅に作業効率が向上できるレンチを提供する。【解決手段】ポリ製筒形受具の筒孔径より若干大きい径の平行ネジ加工部２を中央にしてその一端は電動ドリルのチャックに銜えられる棒状１を成し、他端は平行ネジ加工部がポリ製筒形受具の孔にある程度の深さまで捩じ込まれたときセパレーターの切断面に接する棒状を成すことを特徴とする。【選択図】図１
0003184037.tif 000002
【実用新案登録請求の範囲】
【請求項１】
捩じり切り型セパレーターに使用されるポリ製筒形受具を固化コンクリートから引き抜くためのレンチであって、電動ドリルのチャックに銜えられる棒状部分及びネジ山の高さの半分程度が上述受具の筒孔内面に食い込むように加工されたネジ加工部及び該ネジ加工部が上述受具に５〜３０ｍｍの範囲で捩じ込まれたときそれ以上の捩じ込みを制限するための棒状部分、以上３部分が一体を成す鋼製の工具。
【請求項２】
前記ネジ加工部をネジ山のピッチが大きいコーチボルトと同じ加工で該先端部まで施したレンチ。
【考案の詳細な説明】
【技術分野】
【０００１】  本考案は、鉄筋コンクリート造の型枠用セパレーターの型枠受具の撤去用工具に関する。
【背景技術】
【０００２】  従前、鉄筋コンクリート造における型枠用セパレーターには型枠に当接して該型枠を所定の位置に留め置くための型枠受具がセットされており、該受具は鉄筋のかぶり厚の確保も兼ねているが、コンクリートが固化して後最終的には撤去され、その結果生じる空孔はモルタル樹脂を流し込んで塞いでいる。
該受具にはその用途に応じて様々な材質、形状、寸法のものが流通しているが、本考案は捩じり切り型セパレーターのポリ製筒形の受具を引き抜き撤去するためのレンチに関する。
【考案の概要】
【考案が解決しようとする課題】
【０００３】  上述のポリ製筒形受具は、所謂Ｐコンや鉄コンといった型枠受具のようにその全長に亘る抜き勾配がついていないことに加え着脱のためのネジ加工部を有していないのでコンクリート固化後の撤去が容易でなく苦慮している。
現在行われている該受具の撤去方法はその先端に該受具の筒部の穴径より若干大きい径の木ネジ状の部分を有する棒鋼をハンドル付きにした工具を固化コンクリートに埋設されている該受具の孔、即ちセパレーターを捩じり切って除去したあとにできた孔に捩じり込んである程度の深さまで入ってネジ山が充分に食い込んだところで力任せに引き抜いて撤去しているが、先刻食い込んだときの残留圧のために該工具から該受具を外すのに手間がかかっている。
【課題を解決するための手段】
【０００４】  本考案者は鋭意研究した結果、電動ドリルのチャックに取り付け可能なポリ製筒形受具の引き抜きレンチを開発することに成功した。【０００５】  以下、本考案を図に従い、詳しく説明する。図１は本考案によるレンチのイメージ図である。
ここで符号１は電動ドリルのチャックに銜えられる部分、符号２は符号１と一体のネジ加工部で該ネジ山の外径はポリ製筒形受具の内径より若干大きく、該レンチを該受具に捩じ込んだとき概ねネジ山の半分程度がポリ製筒形受具に食い込むように設計されている。これは前述の様にネジ山がすべて隠れてしまうくらい該受具に食い込んでしまうと該受具を該レンチから外すとき非常に手間がかかってしまうからである。
符号３は符号１及び符号２と一体の丸棒でその外径はポリ製筒形受具の内径より若干小さく加工されている。該丸棒部分の長さは符号２のネジ加工部がポリ製筒形受具に５〜３０ｍｍ程度食い込んだとき丸棒の先端がセパレーターの捩じり切られた切断面に当るように設計されている。
図２はポリ製筒形受具と固化コンクリートとの密着性が著しくて図１のレンチでは該受具を引き抜けないときに使用するレンチのイメージ図であり符号１ａは電動ドリルのチャックに銜えられる部分、符号２ａはネジ山のピッチが大きいコーチボルトと同じ加工が先端部まで施されている。【０００６】  図３の（ａ）〜（ｅ）は鉄筋のかぶり厚相当部のセパレーターが捩じり切られてからポリ製筒形受具が撤去されるまでの工程を図１のレンチを用いて示した断面図である。
ここで（ａ）はかぶり厚相当部のセパレーター６が切断撤去された状態であり、符号５はコンクリート内に埋設されたままになるセパレーター、符号８は切断面、符号４はポリ製筒形受具、符号７は型枠のコンパネを外部から締め付けた時符号４が後退しないための座金、符号１０は固化したコンクリートである。（ｂ）は本発明によるレンチを電動ドリルのチャック９にセットして符号４の引き抜き作業に入るところで矢印の方向に押し込んでいく。（ｃ）はネジ加工部２がポリ製筒形受具４の外面に接したときの図でこのとき符号３の先端部はまだ切断面８には接していない。この図（ｃ）の状態から電動ドリルを回転させるとレンチのネジ加工部２は前述のごとく該ネジ山の高さの半分程度が受具４に食い込みながらレンチの先端部が切断面８に達するまで進み図（ｄ）の状態になる。さらに回転させるとレンチが奥に進めないため受具４が競り上がって図（ｅ）の状態になる。図２のレンチにおいても上述（ａ）から（ｅ）の動作は全く同じである。
【考案の効果】
【０００７】  本考案によるレンチを用いれば捩じり切り型の型枠用セパレーターのポリ製筒形受具の固化コンクリートからの撤去が容易になるだけでなくその後の該レンチからの該受具の取り外しも極めて容易になり大幅に作業効率が向上する。
【図面の簡単な説明】
【０００８】
【図１】  レンチのイメージ図
【図２】  コーチボルト加工を施したレンチのイメージ図
【図３】  ポリ製筒形受具の撤去工程を示した図  （ａ）セパレーターのかぶり相当部を撤去した状態の断面図  （ｂ）引抜き作業直前の状態の断面図  （ｃ）レンチのネジ加工部がポリ製筒形受具の外面に接した状態の断面図  （ｄ）レンチの先端部がセパレーターの切断面に達した状態の断面図  （ｅ）ポリ製筒形受具が引き抜かれつつある状態の断面図
【考案を実施するための形態】
【０００９】  捩じり切り型セパレーターのかぶり相当部の撤去に顕われるポリ製筒形受具の孔に電動ドリルのチャックにセットされた本考案によるレンチを該ドリルを回転させながら挿入していくとレンチの先端がセパレーターの切断面に達したところでポリ製筒形受具が競り上がってくるので若干競り上がった時点でそのままあるいは電動ドリルの回転を止めて引き抜けば簡単に固化コンクリートに埋まっていたポリ製筒形受具を撤去できる。
その後、ポリ製筒形受具を掴んで電動ドリルの回転方向切換スイッチを逆転にセットして回転させれば該受具を簡単にレンチから外せる。
【産業上の利用可能性】
【００１０】  本考案によるレンチは捩じり切り型セパレーターのポリ製筒形受具の固化コンクリートからの撤去とその後の該受具のレンチからの取り外しを極めて効率的に行うことができ、結果的に著しいコストダウンが図られるので産業上の利用価値は大きいと考えられる。
【符号の説明】
【００１１】  １，    電動ドリルのチャックに銜えられる部分
１ａ，  電動ドリルのチャックに銜えられる部分
２，    インチネジ加工部
２ａ，  コーチボルトネジ加工部
３，    ネジ加工部の食い込み制限部
４，    ポリ製筒形受具
５，    セパレーターの残留部
６，    セパレーターの撤去部
７，    ストッパー用ワッシャ
８，    切断面
９，    電動ドリルのチャック
１０，  固化コンクリート
【図１】
0003184037.tif 000003
【図２】
0003184037.tif 000004
【図３】
0003184037.tif 000005
【手続補正書】
【提出日】平成25年3月14日(2013.3.14)
【手続補正１】
【補正対象書類名】実用新案登録請求の範囲
【補正対象項目名】全文
【補正方法】変更
【補正の内容】
【実用新案登録請求の範囲】
【請求項１】
捩じり切り型セパレーターに使用されるポリ製筒形受具を固化コンクリートから引き抜くためのレンチであって、電動ドリルのチャックに銜えられる棒状部分及びネジ山の高さの半分程度が上述受具の筒孔内面に食い込むように加工されたネジ加工部及び該ネジ加工部が上述受具に５〜３０ｍｍの範囲で捩じ込まれたときそれ以上の捩じ込みを制限するための棒状部分、以上３部分が一体を成す型枠受具引抜きレンチ。
【請求項２】
前記ネジ加工部をネジ山のピッチが大きいコーチボルトと同じ加工で該先端部まで施したことを特徴とする請求項１に記載の型枠受具引抜きレンチ。